(57)【特許請求の範囲】
【請求項１】
ユーザ情報を格納するデータベースを有し、該データベースのユーザ情報に基づき配信先を決定し、無線通信ネットワークを介してメッセージを送信するメッセージセンタと、
前記メッセージを前記無線通信ネットワークを介して受信し表示するとともに、受信したメッセージをユーザが見るまで送信機能を不能状態とする携帯電話機と、
を具備してなる携帯電話用メッセージ配信システム。
【請求項２】
前記メッセージセンタが前記携帯電話機へ配信したメッセージの回数に基づいて前記携帯電話機の通話料課金を減額する通話料管理手段を具備することを特徴とする請求項１に記載の携帯電話用メッセージ配信システム。
【請求項３】
前記携帯電話機は、前記メッセージセンタから配信されたメッセージが着信したとき、他の電子メールが着信したときと異なる着信音を発生させることを特徴とする請求項１または請求項２に記載の携帯電話用メッセージ配信システム。
【発明の詳細な説明】
【０００１】
【発明の属する技術分野】
この発明は、登録されたユーザ情報に基づき携帯電話機へコマーシャル等のメッセージを配信し、表示させる携帯電話機用メッセージ配信システムに関する。
【０００２】
【従来の技術】
近年、マーケティングの方法が、多様化する顧客の要求に対応するために変化しつつある。対象を限定せずに広くコマーシャル情報を提供するマスマーケティングだけでなく、顧客の要求を的確に把握して１対１のマーケティングを展開する方法が注目されている。この方法では、多くの顧客情報を集め、顧客の要求を的確に把握することが必要になる。このことから、近年、普及が進んでいる携帯電話システムが、１対１のマーケティングを展開するために情報を収集し、配信する媒体として重要になっている。携帯電話システムを用いることにより、個々の顧客を対象に情報を伝えることが容易になる。従来、顧客がコマーシャル情報を得るには、顧客側の端末装置、例えば携帯電話機から、公衆回線を用いて必要な情報を格納しているデータベースにアクセスする方法がある。あるいは、マスマーケティングの場合、顧客側の端末装置へ通信ネットワークを介して一般的なコマーシャルメッセージを提供するものがある。しかし、携帯電話機のユーザへ個別にユーザ情報に基づいて有用なコマーシャル情報を送る方法は用いられていない。
【０００３】
【発明が解決しようとする課題】
上述した従来のメッセージ配信システムにおいては、携帯電話機にコマーシャルメッセージを配信する場合、着信した一般的なコマーシャルメッセージにはユーザに必要な情報だけではなく不要なメッセージも多く含まれているため、開封されずに廃棄されることが多いという問題がある。
【０００４】
この発明は、上記の点に鑑みてなされたもので、その目的は、携帯電話機へユーザにとって有用と思われるメッセージを配信し、確実にユーザに開封してもらうことができる携帯電話用メッセージ配信システムを提供することにある。また、この発明の他の目的は、メッセージを受けたユーザの通話料を低減することによりユーザも利益を受けることができる携帯電話用メッセージ配信システムを提供することにある。
【０００５】
【課題を解決するための手段】
上記の課題を解決するために、請求項１に記載の発明は、ユーザ情報を格納するデータベースを有し、該データベースのユーザ情報に基づき配信先を決定し、無線通信ネットワークを介してメッセージを送信するメッセージセンタと、前記メッセージを前記無線通信ネットワークを介して受信し表示するとともに、受信したメッセージをユーザが見るまで送信機能を不能状態とする携帯電話機とを設けてなるものである。
【０００６】
また、請求項２に記載の発明は、請求項１に記載の携帯電話用メッセージ配信システムにおいて、前記メッセージセンタが前記携帯電話機へ配信したメッセージの回数に基づいて前記携帯電話機の通話料課金を減額する通話料管理手段を具備することを特徴とする。
また、請求項３に記載の発明は、前記携帯電話機は、請求項１または請求項２に記載の携帯電話用メッセージ配信システムにおいて、前記メッセージセンタから配信されたメッセージが着信したとき、他の電子メールが着信したときと異なる着信音を発生させることを特徴とする。
【０００７】
【発明の実施の形態】
以下、図面を参照してこの発明の一実施の形態について説明する。図１は、同実施形態によるコマーシャルメッセージ配信システムにおいて、コマーシャルメッセージ（以下、ＣＭという）とユーザ情報の流れを説明する概念図である。この図において、企業１１０は、広告会社１２０へ広告を依頼し、広告会社１２０は、この依頼を受けてＣＭを通信事業者１３０へ提供する。通信事業者１３０は、広告会社１２０から提供されたＣＭを格納する。
【０００８】
一方、ユーザ１４０はユーザ情報（ユーザの個人情報）を通信事業者１３０へ提供する。このユーザ情報は通信事業者１３０のデータベースに格納される。そして、通信事業者１３０は、格納したユーザ情報に基づいて通信ネットワークを介してユーザ１４０へＣＭを配信する。また、通信事業者１３０はＣＭを配信するとき、その回数を記録し、ユーザ１４０の通話料を一定の割合で低減する。ユーザ１４０は、通話料低減の利益を受けるが、ＣＭが着信しているときは発信処理よりＣＭを読むことを優先するように、通話機能を制限される。
【０００９】
図２は、この発明の実施形態によるコマーシャルメッセージ配信システム１００の構成を示すブロック図である。同図において、広告会社１２１は、企業から広告を受注し、該広告の配信をＣＭセンタ１３１へ指示する。ＣＭセンタ１３１は、携帯電話機１０からのユーザ情報を通信ネットワーク１５０を介して受信し、内部の記憶装置に格納する。また、広告会社１２１からの指示を受け、ＣＭを各ユーザの携帯電話機１０へ配信する。料金センタ１３２は、携帯電話機の料金を管理する装置であり、ＣＭセンタ１３１からＣＭの配信情報を受けて、携帯電話機１０の通話料の課金を低減する。
【００１０】
図３は、携帯電話機１０の構成を示すブロック図である。この図において、通信部１６は、音声処理部１７から入力したデジタル信号によって変調した無線信号を空中線１９を介して基地局へ送信する。また、空中線１９を介して、受信した無線信号を復調したデジタル信号を音声処理部１７へ出力する。音声処理部１７は、コーダ／デコーダを有し、マイク２０を介して入力した音声信号をデジタル信号へ変換して通信部１６へ出力し、また、通信部１６から入力したデジタル信号を音声信号へ変換してスピーカ２１へ出力する。この音声処理部１７においては、帯域圧縮技術を用いた高能率圧縮符号化／復号化技術、例えばＡＤＰＣＭ（適応差分ＰＣＭ）方式などが用いられる。
【００１１】
着信音発生部１８は着信音信号をスピーカ２２へ出力する。ＲＯＭ（リード・オンリ・メモリ）１２は通信プログラムなどを格納する。ＲＡＭ（ランダム・アクセス・メモリ）１３はデータ一時記憶用のメモリである。操作部１５はテンキー、ファンクションキー等から構成され、電話番号や機能選択等を入力するものである。表示部１４は、着信したＣＭの表示やその他の表示を行う。ＣＰＵ（中央処理装置）１１は、ＲＯＭ１２内のプログラムに基づいて各部を制御する。上述した各部はバス２３によりＣＰＵ・１１に接続されている。
【００１２】
以下、図２〜８を参照して上述したシステムの動作について説明する。
図４は、携帯電話機１０からＣＭセンタ１３１へユーザ情報を登録する動作の流れを示すフローチャートである。先ず、携帯電話機１０の操作部１５の特定キーを操作し（ステップＳ２０１）、次いで、個人情報を入力する（ステップＳ２０２）。この個人情報には、氏名、住所、性別、年齢、趣味、仕事内容等がある。次に、ＣＭセンタの電話番号を入力し（ステップＳ２０３）、送信ボタンをオンにする（ステップＳ２０４）。送信ボタンをオンにすることにより、ＣＰＵ１１から呼が発せられ、通信部１６から空中線１９を介して携帯電話機１０が属する無線ゾーンを管理する基地局１５４ｃ（図２）へ信号が送信される。
【００１３】
基地局１５４ｃは、受信した信号を移動交換局１５３へ送る。移動交換局１５３はＣＭセンタ１３１の電話交換局１５１ａを決定し、その経路に向け信号を送る。電話交換局１５１ａからＣＭセンタ１３１へ着信信号が送られ、ＣＭセンタ１３１から応答信号が返されることにより、回線が確立する。回線が確立すると携帯電話機１０からステップＳ２０２で入力した個人情報が送られ、ＣＭセンタ１３１に登録される。（ステップＳ２０５）。
【００１４】
次に、ＣＭセンタ１３１から登録の完了した携帯電話機１０へＣＭを配信する動作を説明する。図５はＣＭを配信する動作を示すフローチャートである。まず、広告会社１２１は企業から受注したＣＭおよび同企業から依頼を受けたＣＭ送り先の条件（送信条件）を通信ネットワーク１５０を介してＣＭセンタへ送信する（ステップＳ３０１）。ＣＭセンタ１３１は、送信条件に合致する携帯電話機の電話番号をユーザ情報登録に基づいて抽出する（ステップＳ３０２）。次いで、ＣＭセンタ１３１は、通信ネットワーク１５０を介して、抽出した電話番号へ広告会社１２１から依頼を受けたＣＭを送信する（ステップＳ３０３）。次に、ＣＭセンタ１３１は、ＣＭを送信した携帯電話機の電話番号を料金センタ１３２（図２）へ送信する（ステップＳ３０４）。料金センタ１３２はＣＭを送信した電話電話機の電話料金の低減処理を行う。また、ＣＭセンタ１３１からＣＭの送信を受けた携帯電話機は該ＣＭを表示する（ステップＳ３０５）。
【００１５】
図６は、携帯電話機１０が電子メールを受信したときの動作の流れを示すフローチャートである。携帯電話機１０が電子メールを受信すると、ＣＰＵ・１１は、ＣＭであるかどうかを判定する。ＣＭであると判断したとき（ステップＳ４０１；ＹＥＳ）、ＣＰＵ・１１は、着信音発生部１８へ制御信号を出力してＣＭ着信を知らせる通常とは異なる着信音をスピーカ２２から発生させるとともに、表示部１４へＣＭを表示させる（ステップＳ４０２）。そして、ＣＭフラグを“１”にする（ステップＳ４０３）。一方、着信した電子メールがＣＭでないときは（ステップＳ４０１；ＮＯ）、通常のメール着信音を着信音発生部１８からスピーカ２２を介して発生させるとともに、表示部１４へメールの発信者を表示させる（ステップＳ４０４）
【００１６】
図７は、ＣＭが着信しているときの処理の流れを示す。ユーザは、表示部１４に表示されたＣＭの表示を読み、必要なＣＭは保存し、不要のＣＭは削除する（ステップＳ５０１）。この保存または削除が行われた時、ＣＰＵ・１１はＣＭがユーザによって見られたと判断し、ＣＭフラグを“０”にする（ステップＳ５０２）。
【００１７】
次に、図８を参照して、ＣＭセンタ１３１への登録が行われている携帯電話機１０から通常の電話発信を行う時の動作を説明する。携帯電話機１０の送信ボタンをオンにすると、操作信号がＣＰＵ・１１へ入力される。ＣＰＵ・１１は、この信号を受けてＣＭフラグの状態を調べる。そして、ＣＭフラグが“１”のときは（ステップＳ６０１；ＹＥＳ）、ユーザがまだＣＭを見ていないことを示しているので、表示部１４に「未読コマーシャルメッセージがあります」と表示させる（ステップＳ６０２）。
【００１８】
次に、ユーザが未読のＣＭの保存または削除を行うと（ステップＳ５０１；図７）、ＣＭフラグが“０”になる（ステップＳ５０２）。上記のＣＭの保存または削除が行われると、ステップＳ６０３（図８）の判断がＹＥＳとなり、ＣＰＵ・１１は、発信機能の停止を解除し、ＲＯＭ１２に格納されている通信プログラムを起動して呼を発する処理を行なう（ステップＳ６０４）。一方、ステップＳ６０１でＣＭフラグが“０”のとき（ステップＳ６０１；ＮＯ）、開封していないＣＭはないため、続いて、ステップＳ６０４の発信処理が行なわれる。上述のように、ユーザは、未開封のＣＭを全て開封し、処理しなければ発呼して通話を行なうことができない。
【００１９】
なお、コマーシャルメッセージ配信システム１００により配信するメッセージはＣＭに限るものではない。上述のとおり、着信しているメッセージを開封して読むまで、発信機能が停止して電話を使用できないことから、配信したメッセージは確実に読まれると考えられるので通信事業者から重要なメッセージを配信したり、公共機関から緊急なメッセージを送るシステムなどに利用することができる。
【００２０】
【発明の効果】
以上説明したように、本発明によれば、ユーザ情報を格納するデータベースを有し、該データベースのユーザ情報に基づき配信先を決定し、無線通信ネットワークを介してメッセージを送信するメッセージセンタと、メッセージを無線通信ネットワークを介して受信し表示するとともに、受信したメッセージをユーザが見るまで送信機能を不能状態とする携帯電話機とを設けたので、配信したメッセージを確実にユーザに見てもらうことができる効果がある。また、請求項２に記載の発明によれば、通話料が低減される効果を得ることができる。
【図面の簡単な説明】
【図１】  この発明の一実施形態を示す概念図である。
【図２】  同実施形態の構成を示すブロック図である。
【図３】  携帯電話機の構成を示すブロック図である。
【図４】  携帯電話機から登録するときの動作の流れ図である。
【図５】  ＣＭセンタからコマーシャルメッセージを配信するときの動作を示すフローチャートである。
【図６】  電子メールが着信したときの動作を示すフローチャートである。
【図７】  着信したコマーシャルメッセージの処理を示す図である。
【図８】  発信処理の動作を示すフローチャートである。
【符号の説明】
１０  携帯電話機
１１  ＣＰＵ（中央処理装置）
１２  ＲＯＭ
１３  ＲＡＭ
１４  表示部
１５  操作部
１６  通信部
１７  音声処理部
１８  着信音発生部
１９  空中線
２０  マイク
２１、２２  スピーカ
２３  バス
１００  コマーシャルメッセージ配信システム
１２１  広告会社
１３１  ＣＭセンタ
１３２  料金センタ
１５０  通信ネットワーク
【図１】
0003744292.tif 000002
【図２】
0003744292.tif 000003
【図３】
0003744292.tif 000004
【図４】
0003744292.tif 000005
【図５】
0003744292.tif 000006
【図６】
0003744292.tif 000007
【図７】
0003744292.tif 000008
【図８】
0003744292.tif 000009